(57)【要約】      （修正有）【課題】コロナ禍における記念集合写真に代わるものとして、複数の個別写真から切り取られた部分画像を備える合成写真を提供する。【解決手段】合成写真１は、複数の個別写真から切り取られた部分画像３を備える合成写真であって、個別写真は、それぞれフォーカスされた人物の写真であり、人物が同程度の大きさとなるように複数の部分画像が配列されている。これにより、記念集合写真に代わるものとして、プロのカメラマンが個別に撮影した複数の個別写真を用いた合成写真を提供することが可能となる。これにより、新型コロナウイルスへの感染リスクを抑制しつつ、質の高い集合写真を提供することが可能となる。【選択図】図１
0003230354.tif 000002
【実用新案登録請求の範囲】
【請求項１】
複数の個別写真から切り取られた部分画像を備える合成写真であって、
前記個別写真は、それぞれフォーカスされた人物の写真であり、
前記人物が同程度の大きさとなるように複数の前記部分画像が配列された合成写真。
【請求項２】
複数の前記部分画像の内部又はそれぞれの近傍に、前記人物を特定する記載をさらに備える、請求項１記載の合成写真。
【請求項３】
複数の前記部分画像が背景画像の上に配列された請求項１又は２記載の合成写真。
【請求項４】
前記背景画像は、保育園、幼稚園、学校又は季節のいずれかに関連する画像である、請求項３記載の合成写真。
【請求項５】
前記背景画像に重なり、かつ、前記部分画像のいずれとも重ならない部分に文字領域をさらに備え、
前記文字領域は、前記背景画像とは異なる色で表示されている、請求項３又は４記載の合成写真。
【考案の詳細な説明】
【技術分野】
【０００１】
本考案は、合成写真に関するものであり、特に、複数の個別写真から切り取られた部分画像を備える合成写真に関するものである。
【背景技術】
【０００２】
複数の被撮影者を撮影した集合写真を各被撮影者が満足する集合写真とするために、複数の連続写真から各被撮影者について好ましい撮影画像を選択し、合成して集合写真とする撮影装置が知られている（特許文献１参照）。
【先行技術文献】
【特許文献】
【０００３】
【特許文献１】特許第３８０５１４５号公報
【考案の概要】
【考案が解決しようとする課題】
【０００４】
しかしながら、2019年末から発生したコロナ禍において、集合写真を撮影することが困難な状況にある。他方、学校等に通う生徒や我が子を学校に通わせる保護者からは、同じ学級の絆や縁の証となる記念集合写真が望まれていることも事実である。
【０００５】
そこで、本考案は、コロナ禍における記念集合写真に代わるものとして、複数の個別写真から切り取られた部分画像を備える合成写真を提供することを目的とする。
【課題を解決するための手段】
【０００６】
本考案の第１の観点は、複数の個別写真から切り取られた部分画像を備える合成写真であって、前記個別写真は、それぞれフォーカスされた人物の写真であり、前記人物が同程度の大きさとなるように複数の前記部分画像が配列された合成写真である。
【０００７】
本考案の第２の観点は、本考案の第１の観点の合成写真であって、複数の前記部分画像の内部又はそれぞれの近傍に、前記人物を特定する記載をさらに備える合成写真である。
【０００８】
本考案の第３の観点は、本考案の第１又は第２の観点の合成写真であって、複数の前記部分画像が背景画像の上に配列された合成写真である。
【０００９】
本考案の第４の観点は、本考案の第３の観点の合成写真であって、前記背景画像は、保育園、幼稚園、学校又は季節のいずれかに関連する画像である合成写真である。
【００１０】
本考案の第５の観点は、本考案の第３又は第４の観点の合成写真であって、前記背景画像に重なり、かつ、前記部分画像のいずれとも重ならない部分に文字領域をさらに備え、前記文字領域は、前記背景画像とは異なる色で表示されている合成写真である。
【００１１】
本考案の第６の観点は、複数の個別写真から切り取られた部分画像を備える合成写真を生産する合成写真生産方法であって、前記個別写真は、それぞれフォーカスされた人物の写真であり、前記人物が同程度の大きさとなるように複数の前記部分画像が配列された合成写真であって、複数の前記人物に個別にフォーカスして複数の前記個別写真を撮影する撮影ステップと、前記個別写真から前記部分画像を切り取る切り取りステップと、複数の前記部分画像を配列させて１枚の前記合成写真を生産する生産ステップとを含む、合成写真生産方法である。
【００１２】
本考案の第７の観点は、本考案の第６の観点の合成写真生産方法であって、複数の前記部分画像の内部又はそれぞれの近傍に、前記人物を特定する記載を追加する人物特定記載追加ステップをさらに含む。
【００１３】
本考案の第８の観点は、本考案の第６又は第７の観点の合成写真生産方法であって、前記生産ステップの前に、前記合成写真の背景画像を選択する背景画像選択ステップをさらに含み、前記生産ステップにおいて、前記部分画像を前記背景画像の上に配列させる。
【００１４】
本考案の第９の観点は、本考案の第９の観点の合成写真生産方法であって、前記背景画像に重なり、かつ、前記部分画像のいずれとも重ならない部分に文字領域を定める文字領域決定ステップと、前記文字領域を前記背景画像とは異なる色で表示させる文字領域色決定ステップとをさらに含む。
【考案の効果】
【００１５】
本考案の各観点によれば、記念集合写真に代わるものとして、プロのカメラマンが個別に撮影した複数の個別写真を用いた合成写真を提供することが可能となる。これにより、新型コロナウイルスへの感染リスクを抑制しつつ、質の高い「集合写真」を提供することが可能となる。
【００１６】
しかも、人物１人１人がフォーカスされているため、従来の集合写真よりも各人物を鮮やかに表示することが可能となる。その意味では、従来の集合写真よりも質の高い「集合写真」を提供することが可能となる。
【００１７】
さらに、本考案の第２又は第７の観点によれば、氏名などの人物を特定する情報を部分画像の内部又は近傍に併せて記載することにより、合成写真を見た者が個人を特定することがさらに容易となる。
【００１８】
また、本考案の第３又は第８の観点によれば、背景画像を用いることにより、合成写真の一体性を表現することが容易となる。そのため、複数の個別写真を合成したにも関わらず、「集合写真」としての特徴を備えた合成写真を提供することが容易となる。
【００１９】
さらに、本考案の第４の観点によれば、学校に通う生徒達の「集合写真」にふさわしい合成写真を提供することがさらに容易となる。
【００２０】
さらに、本考案の第５又は第９の観点によれば、文字領域を背景画像に対して目立たせた上で、例えば、「令和２年入学記念  〇〇小学校１年１組」のような文字を記載し、「集合写真」にふさわしい合成写真を提供することがさらに容易となる。
【図面の簡単な説明】
【００２１】
【図１】本考案の合成写真１の概要を示す図である。
【考案を実施するための形態】
【００２２】
以下、図を参照して本考案の実施形態について詳細に説明する。なお、本考案の実施の形態は、以下の記載に限定されるものではない。
【実施例１】
【００２３】
図１は、本考案の合成写真１の概要を示す図である。合成写真１は、部分画像３と、背景画像５と、人物を特定する記載７と、文字領域９とを備える。
【００２４】
部分画像３は、複数の人物を別々に撮影した個別写真からそれぞれ切り取られた、人物の顔部分を含む画像である。また、部分画像３は、複数の部分画像３を配列した場合に各人物が同程度の大きさになるように調整されたものである。なお、実用新案登録出願書類が公開されることを考慮し、図１では部分画像３にモザイク処理を施した画像を用いたが、当然ながら実際には人物の顔が明示された画像を用いる。
【００２５】
個別写真１１は、個別に、プロのカメラマンが複数の人物のそれぞれにフォーカスして撮影された写真である。
【００２６】
背景画像５は、配列された複数の部分画像３の背景にある画像である。背景画像５を用いることにより、合成写真１の一体性を表現することが容易となる。そのため、複数の個別写真を合成したにも関わらず、「集合写真」としての特徴を備えた合成写真１を提供することが容易となる。また、背景画像５を、保育園、幼稚園、学校又は季節のいずれかに関連する画像とすれば、学校に通う生徒達の「集合写真」にふさわしい合成写真を提供することがさらに容易となる。
【００２７】
人物を特定する記載７は、複数の部分画像３のそれぞれの近傍に記載されている、例えば、氏名又はニックネーム等である。この記載７は、部分画像３の中に表示されてもよい。人物を特定する記載７により、合成写真１を見た者が、複数の人物の画像が並ぶ中から個人を特定することが容易となる。
【００２８】
文字領域９は、背景画像５に重なり、かつ、部分画像３のいずれとも重ならない部分にあり、背景画像５とは異なる色で表示されている。文字領域９を背景画像５に対して目立たせた上で、例えば、「令和２年入学記念  〇〇市立〇〇小学校」のような文字を記載し、「集合写真」にふさわしい合成写真を提供することがさらに容易となる。
【符号の説明】
【００２９】
１；合成写真、３；部分画像、５；背景画像、７；人物を特定する記載、９；文字領域
【図１】
0003230354.tif 000003